(57)【要約】【課題】多チャンネルのＣＳデジタルに対しても１２個以上のワンタッチボタンが登録でき、番組表もユーザのよく見る単位で表示できるデジタル放送受信装置を提供する。【解決手段】このデジタル放送受信装置の選局方法は、地上波＋ＢＳとＣＳ１、ＣＳ２という３つの放送群に区分し、ＣＳデジタルの放送群に切り替えた時に地上波に割り当てられたワンタッチボタンを使用することで１２個から２４個に増やすことが可能である。また、番組表は地上波デジタルとＢＳデジタルとを同時に表示できるようにして、よく見ると思われる番組をより少ない操作で見ることができる。【選択図】        図１
2004336665.tif 000002
【特許請求の範囲】
【請求項１】
地上波放送、ＢＳデジタルおよびＣＳデジタル放送などの放送を受信できるデジタル放送受信装置において、地上波とＢＳデジタルを合わせた主放送群および１つ以上の有料放送群の中から１つの放送群に切り替える切替手段と、複数のワンタッチボタンからなるグループを２グループ有して、前記切替手段で切り替えた放送群に属するチャンネルを該ワンタッチボタンによって選局する選局手段と、前記切替手段で主放送群に切り替えてある場合には、前記２グループのうちの１つのグループを地上波放送に、他のグループをＢＳデジタルに割り当て、前記切替手段でいずれかの有料放送群に切り替えてある場合には、前記２つのグループすべてを該有料放送群に属するチャンネルに割り当てる割当手段と、番組情報や番組表を表示する表示手段と、前記切替手段で切り替えた放送群に属するチャンネルを前記ワンタッチボタンに対応させて登録するチャンネル登録手段を具備し、主放送を見ている時には主放送のなかでダイレクトに選局できるようにし、有料放送を見ている時には有料放送の中でより多くの契約チャンネルを登録でき、より多くのチャンネルをダイレクトに選局できるようにすることを特徴とするデジタル放送受信機。
【請求項２】
請求項１に記載のデジタル放送受信装置において、前記表示手段は、現在選局されているものが前記ワンタッチボタンに割り当てられている場合に、該ワンタッチボタンがいずれの放送群に属しているかを区別して表示することを特徴とするデジタル放送受信機。
【請求項３】
請求項２に記載のデジタル放送受信装置において、前記表示手段は、異なるフォント、異なる色または異なるボタン形状のうち１つ以上の組み合わせで放送群を区別して、いずれの放送群に属するワンタッチボタンの割り当てかをより分かり易くするようにしたことを特徴とするデジタル放送受信装置。
【請求項４】
請求項２または３に記載のデジタル放送受信装置において、前記表示手段は、異なるマーク、英字または記号を付加して放送群を区別して、いずれの放送群に属するワンタッチボタンの割り当てかをより分かり易くするようにしたことを特徴とするデジタル放送受信装置。
【請求項５】
請求項２、３または４に記載のデジタル放送受信装置において、前記表示手段は、ワンタッチボタンの番号を順序のある文字に対応付けて置き換えることによって放送群を区別して、いずれの放送群に属するワンタッチボタンの割り当てかをより分かり易くするようにしたことを特徴とするデジタル放送受信装置。
【請求項６】
請求項５に記載のデジタル放送受信装置において、前記順序のある文字は、アルファベット、ローマ数字、漢数字、ひらがなまたはカタカナであることを特徴とするデジタル放送受信装置。
【請求項７】
請求項１乃至６のいずれかに記載のデジタル放送受信装置において、前記表示手段は、前記２つのグループに属するワンタッチボタンの番号を重複のない異なる番号に割り当てるようにし、いずれの放送群に属するワンタッチボタンの割り当てかをより分かり易くするようにしたことを特徴とするデジタル放送受信装置。
【請求項８】
請求項７に記載のデジタル放送受信装置において、前記重複のない番号の割り当ては、元の番号の下１桁または全桁が分かるように所定の数を加えた番号とし、変更後の番号から元の番号を類推しやすくしたことを特徴とするデジタル放送受信装置。
【請求項９】
請求項１乃至８のいずれかに記載のデジタル放送受信装置において、前記表示手段は、リモコンのワンタッチボタンの名称、または、リモコンに表示されている前記２つのグループの名称や図形を付加または背景としたワンタッチボタンの名称を表示するようにして、いずれの放送群に属するワンタッチボタンの割り当てかをより分かり易くすることを特徴とするデジタル放送受信装置。
【請求項１０】
請求項１乃至９のいずれかに記載のデジタル放送受信装置において、前記選局手段は、チャンネルアップダウンして選局する手段を有し、前記切替手段で主放送群に切り替えた場合、該チャンネルアップダウンで選局するときには地上波とＢＳデジタルをひとまとめとした中でチャンネルアップダウンさせ、前記切替手段でいずれかの有料放送群に切り替えた場合、該有料放送群の中でチャンネルアップダウンさせるようにしたことを特徴とするデジタル放送受信装置。
【請求項１１】
請求項１乃至１０のいずれかに記載のデジタル放送受信装置において、前記表示手段は、番組表の表示や該番組表による操作を前記切替手段で切り替えた放送群ごとに行えるようにしたことを特徴とするデジタル放送受信装置。
【請求項１２】
請求項１乃至１１のいずれかに記載のデジタル放送受信装置において、前記チャンネル登録手段は、ワンタッチボタンの番号をプリセットする設定手段と、チャンネルサーチなどによって当該装置が自動的にワンタッチボタンの番号にチャンネルを割り当てる自動割当手段と、ユーザによって手動でワンタッチボタンの番号にチャンネルを割り当てる手動割当手段とを有し、前記表示手段は、ワンタッチボタンにプリセットされたチャンネルとは異なるチャンネルが自動的または手動で割り当てられたとき、割り当てを変えたワンタッチボタンの番号表示と変更のないワンタッチボタンの番号表示とを区別できるように表示して、ワンタッチボタンの変更が分かり易くなるようにしたことを特徴とするデジタル放送受信装置。
【請求項１３】
請求項１２に記載のデジタル放送受信装置において、前記変更されたワンタッチボタンの番号表示を、異なる色、異なるボタン形状、マークの付加またはマークのアニメーション表示のうち１つ以上の組み合わせで表示させることを特徴とするデジタル放送受信装置。
【請求項１４】
請求項１２または１３に記載のデジタル放送受信装置において、ワンタッチボタンの登録変更後の表示変更をオン・オフできる手段を有し、ユーザにワンタッチボタンが変更されていることを知りたいか、または表示の統一性を保ちたいかのいずれかを選択できるようにしたことを特徴とするデジタル放送受信装置。
【請求項１５】
請求項１２、１３または１４に記載のデジタル放送受信装置において、ワンタッチボタンの番号にプリセットされたチャンネルとは別のチャンネルにすでに変更してある場合、前記自動割当手段または手動割当手段によって、該ワンタッチボタンに割り当ててあるチャンネルを変更する際、ユーザがその変更登録をしてよいと指示したときには、該ワンタッチボタンの番号に割り当てられていたチャンネルをプリセットのワンタッチボタンへ戻し、戻したときのワンタッチボタンの番号表示を変更されなかったように表示し、さらに、変更指示のあったワンタッチボタンの番号表示を変更されたように表示して、ワンタッチボタンの変更が分かり易くなるようにしたことを特徴とするデジタル放送受信装置。
【請求項１６】
請求項１乃至１５のいずれかに記載のデジタル放送受信装置において、どの地域でどの放送局のチャンネルがどのワンタッチボタンの番号（リモコンＩＤ）でいつ頃放送を開始するかという情報を記憶するデータベースを有し、前記手動割当手段でユーザが空いているワンタッチボタンに割り当てを指示した際、前記チャンネル登録手段は、前記データベースを参照して該ワンタッチボタンが将来開局予定の放送局に予約されている場合には、ユーザに将来放送局が開局予定であることを伝えるようにしたことを特徴とするデジタル放送受信装置。
【請求項１７】
請求項１６に記載のデジタル放送受信装置において、ワンタッチボタンの番号と該番号に対応するチャンネルの登録一覧を表示する場合、前記データベースを参照して、将来開局が予定されるワンタッチボタンの番号表示とすでに放送開始されているワンタッチボタンの番号表示とを区別して表示する登録一覧表示手段を有することを特徴とするデジタル放送受信装置。
【請求項１８】
コンピュータに、請求項１乃至１７のいずれかに記載のデジタル放送受信装置の機能を実行させるためのプログラム。
【請求項１９】
請求項１８に記載のプログラムを記録したコンピュータ読み取り可能な記録媒体。
【発明の詳細な説明】
【０００１】
【発明の属する技術分野】
本発明は、デジタル放送受信機装置、プログラムおよび記録媒体に関し、特に、リモコン装置によって放送チャンネルを選局するときのユーザインターフェースに関する技術である。
【０００２】
【従来の技術】
従来は、地上波用とデジタル用とそれぞれ１２（または１０）個のワンタッチボタンが割り当てられ、デジタル放送の中でＢＳデジタル放送、プラットワン（ＣＳ１）、スカイパーフェクＴＶ！２（ＣＳ２）と切り替え、ＣＳ１、ＣＳ２にはワンタッチボタンが１２（または１０）個だけ割り当てられていた。
また、番組表の表示も地上波、ＢＳ、ＣＳとそれぞれ放送ごとに別々に表示していた。
【０００３】
【発明が解決しようとする課題】
しかしながら、スカイパーフェクＴＶ！２のようにＴＶ放送が５０チャンネルほどになる有料放送の多チャンネル時代にあっては、ワンタッチボタンが１２（または１０）個では少なすぎるという問題がある。
また、一般的なユーザは地上波放送とＢＳデジタル放送のうち無料放送を見ることが一般的と考えられるが、番組表を見る時には地上波放送とＢＳデジタル放送では切り替えなければならないという問題がある。
【０００４】
本発明は、上述のような実情を考慮してなされたものであって、地上波放送とデジタル放送（ＢＳデジタル、ＣＳ１，ＣＳ２）という放送群に分けるのではなく、主放送（地上波、ＢＳデジタル）、有料放送１（ＣＳ１）、有料放送２（ＣＳ２）という放送群に分け、それぞれの放送群を選択したときに、現在ある２つのグループのワンタッチ選局ボタンを１グループのワンタッチ選局ボタンのように取り扱えるようにして、より便利なユーザインターフェースと従来よりも多くのチャンネル数を登録できるようにしたデジタル放送受信装置、プログラムおよび記録媒体を提供することを目的とする。
【０００５】
また、番組表では主放送の時に地上波とＢＳデジタルを切り替え動作なしに同時に表示することで、一般的に見ると思われる番組をより少ない操作で見ることが可能になるデジタル放送受信装置、プログラムおよび記録媒体を提供することを目的とする。
【０００６】
【課題を解決するための手段】
上記の課題を解決するために、本発明は、地上波放送、ＢＳデジタルおよびＣＳデジタル放送などの放送を受信できるデジタル放送受信機において、地上波とＢＳデジタルを合わせた主放送群および１つ以上の有料放送群の中から１つの放送群に切り替える切替手段と、複数のワンタッチボタンからなるグループを２グループ有して、前記切替手段で切り替えた放送群に属するチャンネルを該ワンタッチボタンによって選局する選局手段と、前記切替手段で主放送群に切り替えてある場合には、前記２グループのうちの１つのグループを地上波放送に、他のグループをＢＳデジタルに割り当て、前記切替手段でいずれかの有料放送群に切り替えてある場合には、前記２つのグループすべてを該有料放送群に属するチャンネルに割り当てる割当手段と、番組情報や番組表を表示する表示手段と、前記切替手段で切り替えた放送群に属するチャンネルを前記ワンタッチボタンに対応させて登録するチャンネル登録手段を備えている。
【０００７】
前記表示手段は、現在選局されているものが前記ワンタッチボタンに割り当てられている場合に、該ワンタッチボタンがいずれの放送群に属しているかを次のいずれか、または、その組み合わせで区別して表示し、いずれの放送群に属するワンタッチボタンの割り当てかをより分かり易くするようにした。
【０００８】
（１）ワンタッチボタンを異なるフォント、異なる色または異なるボタン形状で表示して、放送群を区別する。
（２）ワンタッチボタンに異なるマーク、英字または記号を付加して表示して、放送群を区別する。
（３）ワンタッチボタンの番号を順序のある文字（例えば、アルファベット、ローマ数字、漢数字、ひらがなまたはカタカナ）に対応付けて置き換えることによって放送群を区別する。
【０００９】
また、上記の放送群の区別を次のようにして、ワンタッチボタンがいずれの放送群に属するのかをより分かり易くするようにしてもよい。
（４）前記２つのグループに属するワンタッチボタンの番号を重複のない異なる番号、例えば、元の番号の下１桁または全桁が分かるように所定の数を加えた番号に変換して割り当てる。
（５）リモコンに表示されているワンタッチボタンの名称、または、前記２つのグループの名称や図形を付加または背景としたワンタッチボタンの名称を表示する。
【００１０】
また、前記選局手段にチャンネルアップダウンして選局する手段を有する場合に、前記切替手段で主放送群に切り替えた場合、地上波とＢＳデジタルをひとまとめにした中でチャンネルアップダウンさせ、前記切替手段でいずれかの有料放送群に切り替えた場合、該有料放送群の中でチャンネルアップダウンさせることができる。
このとき、番組表の表示や該番組表による操作は、前記切替手段で切り替えた放送群ごとに行えるようにした。
【００１１】
前記チャンネル登録が、ワンタッチボタンの番号をプリセットする設定手段と、チャンネルサーチなどによって当該装置が自動的にワンタッチボタンの番号にチャンネルを割り当てる自動割当手段と、ユーザによって手動でワンタッチボタンの番号にチャンネルを割り当てる手動割当手段とを有する場合、前記表示手段は、ワンタッチボタンにプリセットされたチャンネルとは異なるチャンネルが自動的または手動で割り当てられたとき、割り当てを変えたワンタッチボタンの番号表示と変更のないワンタッチボタンの番号表示とを、例えば、異なる色、異なるボタン形状、マークの付加またはマークのアニメーション表示のうち１つ以上の組み合わせで表示させるようにして区別できるようにした。
また、ワンタッチボタンの登録変更後の表示変更をオン・オフできる手段を有し、ユーザにワンタッチボタンが変更されていることを知りたいか、または表示の統一性を保ちたいかのいずれかを選択できるようにした。
【００１２】
前記チャンネル登録手段は、ワンタッチボタンの番号にプリセットされたチャンネルとは別のチャンネルにすでに変更してある場合、前記自動割当手段または手動割当手段によって、該ワンタッチボタンに割り当ててあるチャンネルを変更する際、ユーザがその変更登録をしてよいと指示したときには、該ワンタッチボタンの番号に割り当てられていたチャンネルをプリセットのワンタッチボタンへ戻し、戻したときのワンタッチボタンの番号表示を変更されなかったように表示し、さらに、変更指示のあったワンタッチボタンの番号表示を変更されたように表示して、ワンタッチボタンの変更が分かり易くなるようにした。
【００１３】
また、前記チャンネル登録手段は、どの地域でどの放送局のチャンネルがどのワンタッチボタンの番号（リモコンＩＤ）でいつ頃放送を開始するかという情報を記憶するデータベースを有し、前記手動割当手段でユーザが空いているワンタッチボタンに割り当てを指示した際、前記チャンネル登録手段は、前記データベースを参照して該ワンタッチボタンが将来開局予定の放送局に予約されている場合には、ユーザに将来放送局が開局予定であることを伝えるようにした。
【００１４】
また、ワンタッチボタンの番号と該番号に対応するチャンネルの登録一覧を表示する場合、前記データベースを参照して、将来開局が予定されるワンタッチボタンの番号表示とすでに放送開始されているワンタッチボタンの番号表示とを、例えば、放送を開始していないものについては半透明表示して、区別するようにした。
【００１５】
また、本発明は、上述したデジタル放送受信装置の機能を実行させるプログラムまたはそのプログラムを記録した記録媒体でも構成することができる。
【００１６】
以上のような構成により、多チャンネルの有料放送（例えば、ＣＳデジタル放送）で通常の個数のワンタッチボタンを倍の個数のワンタッチボタンとして扱えるので、より多くの契約チャンネルをワンタッチボタンに登録でき、より多くのチャンネルをダイレクトに選局できるようになる。
また、番組表では無料放送を主体とした地上波放送（アナログまたはデジタル）とＢＳデジタル放送を特別な切り替えを行わずに並べて表示するので、使い勝手が向上する。
【００１７】
【発明の実施の形態】
以下、図面を参照して本発明のデジタル放送受信装置に係る好適な実施形態について説明する。
図１は、デジタル放送受信装置の機能構成を示すブロック図であり、図１において、１はリモコンを、２は受信した電波を復調するためのチューナを、３は多重して伝送されたトランスポートストリームを指定した番組のそれぞれの映像、音声、番組情報、付加データなど信号に分離するための分離回路（以下、ＤＥＭＵＸと称す）を、４はＤＥＭＵＸ３で分離されたデジタル音声データを伸長復号するための音声デコーダを、５はＤＥＭＵＸ３で分離されたデジタルＭＰＥＧ映像データを伸長復号するための映像デコーダを、６はメニューや付加データによるコンテンツなどをオンスクリーンディスプレイ（ＯＳＤ）装置に表示するための提示処理を、７はリモコン受光部などのインターフェースを、８は放送によるデータや受信装置固有のデータを電源オフの状態でも保持するための書き換え可能な不揮発性メモリ（以下、ＮＶＲＡＭと称す）を、９は当該デジタル放送受信装置全体の動作を制御するマイクロプロセッサ（以下、ＣＰＵと称す）を、１０は当該デジタル放送受信装置動作中にプログラムを動作させるためのワークメモリ及び各種データを保管、読み出すためのＲＡＭ等のメモリ（以下、ワークメモリと称す）を、１１はＣＰＵ９を動作させるためのプログラムを格納するためのプログラムメモリを、１２はモデムを示している。
【００１８】
以下、上記デジタル放送受信装置の動作について説明する。ＣＰＵ９はシステム全体の制御をしており、ＣＰＵ９のプログラムは、プログラムメモリ１１に格納されている。また、ＮＶＲＡＭ８は、電源オフ状態でのデータ保持用に使用され、例えば、番組情報の一時記憶やユーザが設定した番組予約情報やアンテナ設定状態など電源オフされても保持する必要のあるデータを記憶する。
【００１９】
受信された信号は、チューナ２にて復調され、復調されたトランスポートストリームの信号はＤＥＭＵＸ３にて映像、音声、番組情報、付加データなどのストリームに分離され、各々のブロックに供給される。
映像ストリームは、映像デコーダ５で復号された後、提示処理６でメニューなどと合成され、映像信号としてＯＳＤ装置へ出力される。
音声ストリームは、音声デコーダ４にてそれぞれ復号されアナログ音声信号として出力される。また、ユーザの指示により、リモコン１から赤外線が発せられ、インターフェース７で赤外線を受光して、ＣＰＵ９に通信情報が伝えられる。番組情報は、ワークメモリ１０に貯えられ、ユーザの指示により、ＣＰＵ９にて番組表などのデータに変換されたものが提示処理６にて映像信号と合成されて電子番組表としてＯＳＤ装置の画面に表示される。
【００２０】
次に、一般的なデジタル放送の放送切り替え操作について説明する。
通常、デジタル放送受信装置のリモコンは、図２のように地上波をワンタッチ選局するための１〜１２のキーとデジタル放送（ＢＳＤ、ＣＳ１、ＣＳ２）をワンタッチ選局するための１〜１２のキー、放送切り替えボタン、３桁入力、チャンネルアップダウンキーとテレビ、ラジオ、データのメディア切り替えボタンからなっている。
【００２１】
地上波放送は、首都圏の場合、ワンタッチボタンの１を押すとＮＨＫ総合、３を押すとＮＨＫ教育というように選局でき、通常、放送切り替えに影響されないで選局できる。チャンネルアップダウンでは地上波放送内でアップダウンするものもあるが、デジタル放送と合わせてアップダウンするものもある。ここでは後者の場合について説明する。
【００２２】
図３は、従来の放送切り替えによるチャンネルアップダウンとワンタッチボタン動作例を示す図である。
地上波用のワンタッチボタンは、放送切り替えボタンの押下状態とは関係なく地上波放送の選局がされる。
デジタル放送は、放送切り替えボタンでＢＳデジタル、ＣＳ１（プラットワン）、ＣＳ２（スカパー！２）に切り替えることができる。
放送切り替えボタンでＢＳデジタルに切り替えられたときには、ワンタッチボタンやチャンネルアップダウンは地上波とＢＳデジタル内のチャンネルへの選局となる。例えば、ＢＳデジタルになっているときに、デジタル放送側のワンタッチボタンの１を押すとＮＨＫ  ＢＳ１が選局される。
また、放送切り替えボタンでＣＳ１またはＣＳ２に切り替えたときには、デジタル放送側のワンタッチボタンは切り替えられたＣＳ放送のチャンネルへの選局となる。例えば、ＣＳ１（プラットワン）になっているときに、プロモＣＨが、ＣＳ２（スカパー！２）のときにはスカパー！２プロモが選局される。
【００２３】
上述のワンタッチボタンは、１〜１２の番号にワンタッチで選局するために工場出荷時にあるチャンネルがプリセットされており、後からユーザによって変更が可能なものになっている。これらに何が登録されているのか分かり易くするために番組情報や番組表にワンタッチボタンの番号を表示するものもある。
例えば、図４では、番組情報にワンタッチボタンの番号１とチャンネル番号が、番組表にはワンタッチボタンの番号１〜５とそれぞれ対応するチャンネル番号が表示されている。
【００２４】
以下に本発明による放送切り替え操作について説明する。
図５は、本発明の放送切り替えによるチャンネルアップダウンとワンタッチボタン動作例を示す図である。
まず、放送の括りとして、地上波＆ＢＳデジタルの無料放送を主体とした主放送群と、有料放送を主体としたＣＳ１（プラットワン）、同じく有料放送を主体とした多チャンネルのＣＳ２（スカパー！２）の３つの放送群に分け、これら放送群の切り替えを放送切り替えボタンで行う。
また、地上波デジタルが始まった場合は、地上波アナログと地上波デジタルを切り替えられる手段を別途設けるか、地上波アナログと地上波デジタルを混在登録するようにしてもよい。
【００２５】
図５に示すように、放送切り替えボタンで、主放送群（地上波＆ＢＳデジタル）と有料放送群１（ＣＳ１プラットワン）と有料放送群２（ＣＳ２スカパー！２）とを切り替え、例えば、主放送群になっているときには、地上波のワンタッチボタン１〜１２（図２参照）を押すと地上波の選局、ＢＳデジタルのワンタッチボタン１〜１２（図２参照）を押すとＢＳデジタルの選局ができる。チャンネルアップダウンでは地上波およびＢＳデジタルを合わせた中で選局する。
また、番組表（ＥＰＧ）は、地上波とＢＳデジタルを並べて表示することにより、切り替え操作等を行わなくても見えるように表示される。
【００２６】
有料放送群１（ＣＳ１プラットワン）に切り替えられた時は、地上波のワンタッチボタン１〜１２でプラットワン内のチャンネルプリセット登録番号１〜１２、ＢＳデジタルのワンタッチボタン１〜１２でプラットワン内のチャンネルプリセット登録番号１３〜２４を選局する。チャンネルアップダウンは、プラットワン内でアップダウン選局し、番組表もプラットワン内のチャンネルとワンタッチボタン（チャンネルに割り当てられたワンタッチボタンがある場合に表示する）とを表示する。
【００２７】
有料放送群２（ＣＳ２スカパー！２）に切り替えられた時も同様に、地上波のワンタッチボタン１〜１２でスカパー！２内のチャンネルプリセット登録番号１〜１２、ＢＳデジタルのワンタッチボタン１〜１２でスカパー！２内のチャンネルプリセット登録番号１３〜２４を選局する。チャンネルアップダウンは、スカパー！２内でアップダウン選局し、番組表もスカパー！２プラットワン内のチャンネルとワンタッチボタン（チャンネルに割り当てられたワンタッチボタンがある場合に表示する）とを表示する。
【００２８】
次に、ワンタッチボタンが押されたときの処理の流れについて説明する。
図６は、地上波のワンタッチボタンが押された時の処理手順を示すフローチャートである。
ユーザによって地上波のワンタッチボタンが押されると（ステップＳ１０１）、先ず、放送切り替えボタンによってＣＳ１が選択されているかどうか判定する（ステップＳ１０２）。
ＣＳ１が選択されている場合（ステップＳ１０２のＹＥＳ）、ＣＳ１のワンタッチボタン（１−１２）として選局して（ステップＳ１０５）、終了する。
一方、ＣＳ１が選択されてない場合（ステップＳ１０２のＮＯ）、ＣＳ２が選択されているかどうか判定する（ステップＳ１０３）。
ＣＳ２が選択されている場合（ステップＳ１０３のＹＥＳ）、ＣＳ２のワンタッチボタン（１−１２）として選局して（ステップＳ１０６）、終了する。
一方、ＣＳ２が選択されてない場合（ステップＳ１０３のＮＯ）、地上波のワンタッチボタン（１−１２）として選局して（ステップＳ１０４）、終了する。
【００２９】
図７は、ＢＳデジタルのワンタッチボタンが押された時の処理手順を示すフローチャートである。
ユーザによってＢＳデジタルのワンタッチボタンが押されると（ステップＳ２０１）、先ず、放送切り替えボタンによりＣＳ１が選択されているかどうか判定する（ステップＳ２０２）。
ＣＳ１が選択されている場合（ステップＳ２０２のＹＥＳ）、ＣＳ１のワンタッチボタン（１３−２４）として選局して（ステップＳ２０５）、終了する。
一方、ＣＳ１が選択されてない場合（ステップＳ２０２のＮＯ）、ＣＳ２が選択されているかどうか判定する（ステップＳ２０３）。
ＣＳ２が選択されている場合（ステップＳ２０３のＹＥＳ）、ＣＳ２のワンタッチボタン（１３−２４）として選局して（ステップＳ２０６）、終了する。
一方、ＣＳ２が選択されてない場合（ステップＳ２０３のＮＯ）、ＢＳデジタルのワンタッチボタン（１−１２）として選局して（ステップＳ２０４）、終了する。
【００３０】
図８は、放送切り替えを行ったときのチャンネルアップダウンの動作例を示す図である。
主放送群（地上波およびＢＳデジタル）を選択している場合、チャンネルアップでは、地上波の最後の次はＢＳデジタルの最初のチャンネルへと続き、ＢＳデジタルの最後の次は地上波の最初のチャンネルと続く。
また、チャンネルダウンでは、地上波の最初の次はＢＳデジタルの最後のチャンネルと続き、ＢＳデジタルの最初の次は地上波の最後のチャンネルへと続く。有料放送群１（ＣＳ１）および有料放送群２（ＣＳ２）では、それらの放送群中だけでループしているためチャンネルアップでは最後のチャンネルから最初のチャンネルへ続き、チャンネルダウンでは最初のチャンネルから最後のチャンネルへと続く。
【００３１】
図９は、主放送群（地上波とＢＳデジタル放送）を選択している場合の番組表の同時表示例を示す図である。
このように地上波とＢＳデジタル放送の両方の番組表を同時に表示しているので、通常カーソルの上下または左右キーを使って、番組表のチャンネルを選択できる。
この番組表は、最後のチャンネルを表示した後は最初のチャンネルへ戻るが、ここでは地上波の最後のチャンネルからＢＳデジタル放送の最初のチャンネルが続くので、地上波を見ているときに通常は放送切り替えなどで切り替えないと見られないＢＳデジタルの番組内容がカーソルキーだけの操作で地上波もＢＳデジタルも同じように見ることができる。
【００３２】
上述したワンタッチボタンは、本発明では２グループの１〜１２のキーを明確に区分してないため、図１０のように単にワンタッチボタンの番号だけを表示すると、同じ数字が並ぶこともあるためいずれの放送波群であるかを見極めづらい。
次に、図１１〜２５を使って、上記問題点を解決する表示方法を説明する。
なお、以下の説明では、図２で地上波用に割り当てられたワンタッチボタンをグループ１と称し、デジタル放送用に割り当てられたワンタッチボタンをグループ２と称する。
【００３３】
（１）フォントを変える（図１１参照）。
グループ１とグループ２のいずれのグループに属するワンタッチボタンかによって、属するグループごとにワンタッチボタンの番号を異なったフォントで表示させる。
（２）フォントの色やボタンの色を変える（図１２参照）。
グループ１とグループ２のいずれのグループに属するかによって、属するグループごとにワンタッチボタンの番号のフォントの色やボタンの色を変えて表示させる。
（３）ボタンの形状を変える（図１３参照）。
グループ１とグループ２のいずれのグループに属するかによって、属するグループごとにワンタッチボタンのボタンの形状を変えて表示させる。
（４）番号の一方または両方に星印やＢＳなどのマークを付ける（図１４、１５参照）。
グループ１とグループ２のいずれのグループに属するかによって、番号にその属するグループを表すマーク（例えば、星印やＢＳ）を付けて表示する。
（５）番号の一方に先頭にアルファベットを入れる（図１６参照）。
グループ１とグループ２のいずれのグループに属するかによって、番号にその属するグループを表す文字（例えば、Ｂ）を付けて表示する。
（６）番号の一方をローマ数字にする（図１７参照）。
グループ１とグループ２のいずれのグループに属するかによって、一方に属する番号をローマ数字で表示する。
（７）番号の一方を漢字数字にして表示する（図１８参照）。
グループ１とグループ２のいずれのグループに属するかによって、一方に属する番号を漢数字で表示する。
（８）番号の一方を１３から２４の数字にして表示する（図１９参照）。
グループ１とグループ２のいずれのグループに属するかによって、一方に属する番号を１３から２４の数字で表示する。
（９）番号の下一桁を合わせるため２０を足して、２１から３２の数字にして表示する（図２０参照）。
グループ１とグループ２のいずれのグループに属するかによって、一方に属する番号を２１から３２の数字で表示する。これは、元の番号の下一桁が分かるようにするためである。さらに、元の番号が２桁以下の場合には、１００などを足せば元の数字が分かるようにできる。
（１０）番号をアルファベットにして表示する（図２１参照）。
グループ１とグループ２のいずれのグループに属するかによって、一方に属する番号をアルファベットに対応させて表示する。
（１１）番号をひらがな等の順序のある文字にして表示する（図２２参照）。
グループ１とグループ２のいずれのグループに属するかによって、一方に属する番号をひらがなやカタカナ等の順序のある文字に対応させて表示する。
（１２）リモコンの表示とＯＳＤ装置への表示を合わせる（図２３、図１６参照）。
図２３に示すようなリモコンのワンタッチボタンをグループの区別が判る名前をつけ、その名前を番組表に表示するようにして、リモコンの表示とＯＳＤ装置への表示を合わせるようにしてもよい。
例えば、図２３のように、地上波に関しては従来通りに１−１２の名称をつけ、ＢＳデジタルにはＢ１−Ｂ１２のように地上波の名称とは異なる名称をつけ、番組表のワンタッチボタンの番号表示にはこれらの名称を使うようにして、図１６のような番組表を表示させる。
（１３）グループを識別する文字、記号や図形を付ける（図２４、図２５参照）。
図２４に示すようにリモコンのワンタッチボタンのグループに名前をつけ、その名前を番組表に表示するようにして、リモコンの表示とＯＳＤ装置への表示を合わせるようにしてもよい。
例えば、図２４のように、地上波に関しては「地上（ＣＳ）」の識別名を付け、ＢＳデジタルには「ＢＳ」の識別名を付けておく。番組表のワンタッチボタンの番号表示にはこれらの識別名を右上などに付けて図２５のような番組表を表示させる。
識別名は、記号でも図形でもよく、番組表への表示も右上とは限らない。さらに、識別名を番号の背景として番組表に表示するようにしてもよい。
（１４）（１）から（１３）を適宜組み合わせて表示することによって、さらにいずれのグループに属するワンタッチボタンであるかを識別しやすくなる。
【００３４】
次に、工場出荷時に自動的に割り当てられたチャンネルをユーザが工場出荷時とは異なるチャンネルに割り当てを変更したとき、変更されたワンタッチボタンと工場出荷時のままのワンタッチボタンとを次のように区別して番組表に表示する。
（１）変更されたワンタッチボタンの該当番号のみ色を変える（図２６参照）。（２）変更されたワンタッチボタンのボタン形状を変える（図２７参照）。
（３）変更されたワンタッチボタンに星印などのマークを付ける（図２８参照）。さらに、マーク（星）がきらめいたりするようにアニメーション表示するようにさせてもよい。
【００３５】
上記のような変更登録されたワンタッチボタンの変更表示をオン・オフできるようにして、ワンタッチボタンへ割り当てたチャンネル番号が変更になっているかどうかを知りたいか、または、表示の統一性を保ちたいかによってユーザに選択させるようにしてもよい。
【００３６】
次に、ユーザがワンタッチボタンに対応するチャンネルを変更する場合の確認方法について説明する。
２００３年１２月から開始される地上波デジタル放送では、同一放送でも地域ごとに異なるチャンネルが割り当てられており、このチャンネルを自動的にワンタッチボタンに割り当てるための規格が採用されることになっている。
したがって、受信装置は、ユーザによる手動または該受信装置による自動的なチャンネルサーチによって、ワンタッチボタンの番号（リモコンＩＤ）が地域ごとに異なるどのチャンネルに割り当てられるかを探し、このサーチ結果をもとに自動またはユーザによってワンタッチボタン（リモコンＩＤ）にチャンネルを設定登録する。
【００３７】
地上波デジタル放送は、基本的に地上波アナログ放送を放送していた放送局が行うが、首都圏ではＮＨＫ教育が３ｃｈから２ｃｈへ移るように、必ずしも同じチャンネルに移るとも限らない。また、地上波デジタル放送は、各放送局が一斉に放送を開始するわけではなく、順次に放送が開始されるということになりそうである。例えば、千葉テレビは３ｃｈで数年遅れて開始される。
【００３８】
このような状況にあって、例えば、地上波アナログ放送のＮＨＫ教育が３ｃｈであることにユーザが慣れている場合、地上波デジタル放送でワンタッチボタンの２番に割り当てられるべきＮＨＫ教育をワンタッチボタンの３番にユーザが変更した後に、３ｃｈの千葉テレビが開局した場合を考える。
このときは、ユーザが設定していたワンタッチボタンの３番号と、開局した千葉テレビのチャンネルがプリセットされているワンタッチボタンの番号とが重なってしまう。
このように重なった場合に、無視したり、無条件に上書きするのではなく、図２９のように、「千葉テレビ（３）が新しく見つかりました。リモコン番号３にはＮＨＫ教育が登録されています。チャンネルを置き換えますか？」というメッセージをユーザにダイアログで提示して、ユーザにどのように対処するかを決めさせる。
例えば、ユーザが「はい」と答えた場合には、千葉テレビをワンタッチボタンの３番に登録し、ＮＨＫ教育をプリセット時の２番へ登録する。このとき、ワンタッチボタン登録一覧（放送局とワンタッチボタンの番号との対応表）表示を行う場合には、千葉テレビもＮＨＫ教育も工場出荷時の設定に戻ったのでワンタッチボタンの２番も３番も変更ないものとして表示する。
また、ユーザが「いいえ」と答えた場合には、千葉テレビを空いているワンタッチボタンに割り当てて登録し、そのワンタッチボタン登録一覧表示では、割り当てられたワンタッチボタンは他の変更がなかったワンタッチボタンとは区別して表示する。
【００３９】
また、基本的にどの地域でどの放送局がどのワンタッチボタンの番号（リモコンＩＤ）で放送を開始するか分かっているので、どの地域でどの放送局のチャンネルがどのワンタッチボタンの番号（リモコンＩＤ）に割り当てられいつ頃放送を開始するかという情報を記憶するデータベースを受信装置に持ち、ユーザが将来放送される予定の番号に登録しようとしたときに、上書きしてもいいかどうか聞くようにしてもよい。
【００４０】
また、ワンタッチボタン登録一覧を表示するときにデータベースにある将来放送予定のチャンネルも現在放送されているチャンネルと表示などを変えて表示するようにすれば、ユーザがワンタッチボタンの登録内容を変更するときの手助けになる。
例えば、将来放送予定のチャンネルに割り当てられているワンタッチボタンの番号表示を半透明に表示して、現在放送中の番号表示と区別して表示する。
【００４１】
本発明は、上述した実施形態のみに限定されたものではない。上述した実施形態のデジタル放送受信装置の機能をプログラム化し、予め記録媒体に書き込んでおき、マイクロプロセッサでそのプログラムを実行することによって、本発明の目的が達成されることは言うまでもない。
この場合、記録媒体から読み出されて実行された状態が上述した実施形態の機能を実現することになり、そのプログラムおよびそのプログラムを記録した記録媒体も本発明を構成することになる。
【００４２】
なお、このような機能を実現するプログラムは、半導体媒体（例えば、ＲＯＭ、不揮発性メモリ等）、光媒体（例えば、ＤＶＤ、ＭＯ、ＭＤ、ＣＤ等）、磁気媒体（例えば、磁気テープ、フレキシブルディスク等）等いずれの形態の記録媒体で提供されてもよい。
あるいは、サーバコンピュータの記憶装置に格納された上記プログラムの一部または全部をネットワーク等の通信網を介してサーバコンピュータから直接供給を受けるようにしてもよい。この場合、このサーバコンピュータの記憶装置も本発明の記録媒体に含まれる。
【００４３】
このような記録媒体で提供された場合は、その記録媒体からプログラムを読み取ってデジタル放送受信装置の内部記憶装置または外部記憶装置にインストールし、そのインストールされたプログラムをマイクロプロセッサが実行することによって上述した実施の形態の機能が実現される。
【００４４】
尚、本発明は上述した実施形態に限定されず、本発明の要旨を逸脱しない範囲内で各種の変形、修正が可能であるのは勿論である。
【００４５】
【発明の効果】
以上説明したように本発明によれば、多チャンネルの有料放送（例えば、ＣＳデジタル放送）で通常の個数のワンタッチボタンを倍の個数のワンタッチボタンとして扱えるので、より多くの契約チャンネルをワンタッチボタンに登録でき、より多くのチャンネルをダイレクトに選局できるようになる。
また、番組表では無料放送を主体とした地上波放送（アナログまたはデジタル）とＢＳデジタル放送を特別な切り替えを行わずに並べて表示するので、使い勝手が向上する。
【図面の簡単な説明】
【図１】本発明のデジタル放送受信機に係る実施形態の機能構成を示すブロック図である。
【図２】従来のリモコンの操作ボタン等の配置例である。
【図３】従来の放送切り替えによるチャンネルアップダウンとワンタッチボタン動作例である。
【図４】従来の番組情報と番組表の表示例である。
【図５】本発明の放送切り替えによるチャンネルアップダウンとワンタッチボタン動作例である。
【図６】地上波のワンタッチボタンが押されたときの処理手順を示すフローチャートである。
【図７】ＢＳデジタルのワンタッチボタンが押されたときの処理手順を示すフローチャートである。
【図８】放送切り替えを行ったときのチャンネルアップダウンの動作例である。
【図９】主放送群（地上波とＢＳデジタル放送）を選択している場合の番組表の同時表示例である。
【図１０】番号を変えないとワンタッチボタンの番号が分かりにくくなる表示例である。
【図１１】ワンタッチボタンの番号のフォントを変えて違いを分かりやすくする表示例である。
【図１２】ワンタッチボタンの番号の色を変えて違いを分かりやすくする表示例である。
【図１３】ワンタッチボタンのボタン形状を変えて違いを分かりやすくする表示例である。
【図１４】ワンタッチボタンの番号にマークをつけて違いを分かりやすくする表示例である。
【図１５】ワンタッチボタンの番号にＢＳなどの文字をつけて違いを分かりやすくする表示例である。
【図１６】ワンタッチボタンの番号の先頭にアルファベットをつけて違いを分かりやすくする表示例である。
【図１７】ワンタッチボタンの番号の片方をローマ数字に変えて違いを分かりやすくする表示例である。
【図１８】ワンタッチボタンの番号の片方を漢字数字に変えて違いを分かりやすくする表示例である。
【図１９】ワンタッチボタンの番号の片方の数値を１３〜２４に変えて違いを分かりやすくする表示例である。
【図２０】ワンタッチボタンの番号の片方の数値を２１〜３２に変えて違いを分かりやすくする表示例である。
【図２１】ワンタッチボタンの番号の片方をアルファベットに変えて違いを分かりやすくする表示例である。
【図２２】ワンタッチボタンの番号の片方をひらがなに変えて違いを分かりやすくする表示例である。
【図２３】ワンタッチボタンの番号の表記を変えたリモコンの例である。
【図２４】ワンタッチボタンの番号をグルーピング表記にしたリモコンの例である。
【図２５】ワンタッチボタンのグルーピング表記とＯＳＤの表示を合わせた番組表の表示例である。
【図２６】ユーザ操作によるワンタッチボタン登録時の変更をボタンの色で表す表示例である。
【図２７】ユーザ操作によるワンタッチボタン登録時の変更をボタン形状で表す表示例である。
【図２８】ユーザ操作によるワンタッチボタン登録時の変更をマークを付けて表す表示例である。
【図２９】ユーザ操作によるワンタッチボタン登録後に重複する新しいチャンネルが見つかったときのダイアログ表示例である。
【符号の説明】
１…リモコン、２…チューナ、３…ＤＥＭＵＸ、４…音声デコーダ、５…映像デコーダ、６…提示処理、７…インターフェース、８…ＮＶＲＡＭ、９…ＣＰＵ、１０…ワークメモリ、１１…プログラムメモリ、１２…モデム。
【図１】
2004336665.tif 000003
【図２】
2004336665.tif 000004
【図３】
2004336665.tif 000005
【図４】
2004336665.tif 000006
【図５】
2004336665.tif 000007
【図６】
2004336665.tif 000008
【図７】
2004336665.tif 000009
【図８】
2004336665.tif 000010
【図９】
2004336665.tif 000011
【図１０】
2004336665.tif 000012
【図１１】
2004336665.tif 000013
【図１２】
2004336665.tif 000014
【図１３】
2004336665.tif 000015
【図１４】
2004336665.tif 000016
【図１５】
2004336665.tif 000017
【図１６】
2004336665.tif 000018
【図１７】
2004336665.tif 000019
【図１８】
2004336665.tif 000020
【図１９】
2004336665.tif 000021
【図２０】
2004336665.tif 000022
【図２１】
2004336665.tif 000023
【図２２】
2004336665.tif 000024
【図２３】
2004336665.tif 000025
【図２４】
2004336665.tif 000026
【図２５】
2004336665.tif 000027
【図２６】
2004336665.tif 000028
【図２７】
2004336665.tif 000029
【図２８】
2004336665.tif 000030
【図２９】
2004336665.tif 000031